【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
第一装置が接続される第一ネットワークの第一レイヤ２スイッチとパケットを送受信する個別ポートと、
第二装置が接続される第二ネットワークの第二レイヤ２スイッチとパケットを送受信する複数のバルクポートと、
前記個別ポートと前記バルクポートとの何れかのポートよりパケットを受信した場合に、当該受信したパケットに設定された、前記第一装置の物理アドレスと前記バルクポートの物理アドレスとの何れか一方の物理アドレスを他方の物理アドレスに書き換え、当該書き換えたパケットを前記何れかのポートとは異なるポートより送信させるパケット送受信部と、
を備えることを特徴とするレイヤ２接続装置。
【請求項２】
前記パケット送受信部は、前記バルクポートより受信したパケットに宛先として設定されている当該バルクポートの物理アドレスを、当該パケットに宛先として設定されている前記第一装置の物理アドレスに書き換え、前記個別ポートから送信させるパケット転送部を有する、
ことを特徴とする請求項１に記載のレイヤ２接続装置。
【請求項３】
前記バルクポートには、それぞれ複数の物理アドレスが割り付けられ、
前記第一装置の物理アドレスと、パケットの送信に使用する前記バルクポートの物理アドレスとの対応付けを記憶する記憶部を備え、
前記パケット転送部は、前記パケットに宛先として設定されている前記バルクポートの物理アドレスに基づいて前記第一装置の物理アドレスを前記記憶部から読み出し、当該パケットに宛先として設定されている前記バルクポートの物理アドレスを前記読み出した第一装置の物理アドレスに書き換える、
ことを特徴とする請求項２に記載のレイヤ２接続装置。
【請求項４】
前記記憶部には、前記第一装置の物理アドレスと前記バルクポートの物理アドレスに加え、前記バルクポートの識別情報との対応付けが記憶され、
前記パケット送受信部は、前記パケットを受信した前記バルクポートの識別情報と前記バルクポートの物理アドレスの組が、前記記憶部に記憶された前記バルクポートの識別情報と前記バルクポートの物理アドレスの組に一致するか否かを判断し、一致すると判断した場合にのみ前記パケット転送部に前記パケットを出力するパケット出力部を有する、
ことを特徴とする請求項３に記載のレイヤ２接続装置。
【請求項５】
前記パケット送受信部は、
前記個別ポートより受信した前記パケットに送信元として設定されている前記第一装置の物理アドレスに基づいて、使用する前記バルクポートの物理アドレスを前記記憶部から読み出すトラフィック分散部と、
前記個別ポートより受信した前記パケットに送信元として設定されている前記第一装置の物理アドレスを、前記トラフィック分散部が読み出した前記バルクポートの物理アドレスに書き換え、当該物理アドレスの前記バルクポートから送信させる送信元物理アドレス書き換え部とを有する、
ことを特徴とする請求項３又は請求項４に記載のレイヤ２接続装置。
【手続補正２】
【補正対象書類名】明細書
【補正対象項目名】発明の名称
【補正方法】変更
【補正の内容】
【発明の名称】レイヤ２接続装置
【手続補正３】
【補正対象書類名】明細書
【補正対象項目名】０００１
【補正方法】変更
【補正の内容】
【０００１】
本発明は、レイヤ２接続装置に関する。
【手続補正４】
【補正対象書類名】明細書
【補正対象項目名】０００６
【補正方法】変更
【補正の内容】
【０００６】
本発明は、このような事情を考慮してなされたものであり、ＬＡＧを使用しない形態などのＬ２スイッチとの間で、通信品質が異なる複数のリンクを直結せずに束ねた場合でも通信が可能なレイヤ２接続装置を提供する。
【手続補正５】
【補正対象書類名】明細書
【補正対象項目名】０００７
【補正方法】変更
【補正の内容】
【０００７】
本発明の一態様は、第一装置が接続される第一ネットワークの第一レイヤ２スイッチとパケットを送受信する個別ポートと、第二装置が接続される第二ネットワークの第二レイヤ２スイッチとパケットを送受信する複数のバルクポートと、前記個別ポートと前記バルクポートとの何れかのポートよりパケットを受信した場合に、当該受信したパケットに設定された、前記第一装置の物理アドレスと前記バルクポートの物理アドレスとの何れか一方の物理アドレスを他方の物理アドレスに書き換え、当該書き換えたパケットを前記何れかのポートとは異なるポートより送信させるパケット送受信部と、を備えることを特徴とするレイヤ２接続装置である。
また、本発明の一態様は、上述したレイヤ２接続装置であって、前記パケット送受信部は、前記バルクポートより受信したパケットに宛先として設定されている当該バルクポートの物理アドレスを、当該パケットに宛先として設定されている前記第一装置の物理アドレスに書き換え、前記個別ポートから送信させるパケット転送部を有する、ことを特徴とする。
また、本発明の一態様は、上述したレイヤ２接続装置であって、前記バルクポートには、それぞれ複数の物理アドレスが割り付けられ、前記第一装置の物理アドレスと、パケットの送信に使用する前記バルクポートの物理アドレスとの対応付けを記憶する記憶部を備え、前記パケット転送部は、前記パケットに宛先として設定されている前記バルクポートの物理アドレスに基づいて前記第一装置の物理アドレスを前記記憶部から読み出し、当該パケットに宛先として設定されている前記バルクポートの物理アドレスを前記読み出した第一装置の物理アドレスに書き換えることを特徴とする。
また、本発明の一態様は、上述したレイヤ２接続装置であって、前記記憶部には、前記第一装置の物理アドレスと前記バルクポートの物理アドレスに加え、前記バルクポートの識別情報との対応付けが記憶され、前記パケット送受信部は、前記パケットを受信した前記バルクポートの識別情報と前記バルクポートの物理アドレスの組が、前記記憶部に記憶された前記バルクポートの識別情報と前記バルクポートの物理アドレスの組に一致するか否かを判断し、一致すると判断した場合にのみ前記パケット転送部に前記パケットを出力するパケット出力部を有する、ことを特徴とする。
また、本発明の一態様は、上述したレイヤ２接続装置であって、前記パケット送受信部は、前記個別ポートより受信した前記パケットに送信元として設定されている前記第一装置の物理アドレスに基づいて、使用する前記バルクポートの物理アドレスを前記記憶部から読み出すトラフィック分散部と、前記個別ポートより受信した前記パケットに送信元として設定されている前記第一装置の物理アドレスを、前記トラフィック分散部が読み出した前記バルクポートの物理アドレスに書き換え、当該物理アドレスの前記バルクポートから送信させる送信元物理アドレス書き換え部とを有する、ことを特徴とする。
本発明に関連する発明の一態様は、第一装置が接続される第一ネットワークの第一レイヤ２スイッチとパケットを送受信する個別ポートと、第二装置が接続される第二ネットワークの第二レイヤ２スイッチとパケットを送受信する複数のバルクポートと、前記個別ポートが前記第一レイヤ２スイッチから受信したパケットの送信に使用する前記バルクポートを決定するトラフィック分散部と、前記第一レイヤ２スイッチから受信した前記パケットに送信元として設定されている前記第一装置の物理アドレスを、前記トラフィック分散部により決定された前記バルクポートの物理アドレスに書き換え、決定された当該バルクポートから送信させる送信元物理アドレス書き換え部と、前記バルクポートが前記第二レイヤ２スイッチから受信したパケットに宛先として設定されている当該バルクポートの物理アドレスを、当該パケットに宛先として設定されている前記第一装置の上位層アドレスに対応した物理アドレスに書き換え、前記個別ポートから送信させるパケット転送部と、を備えることを特徴とするレイヤ２接続装置である。
【手続補正６】
【補正対象書類名】明細書
【補正対象項目名】０００８
【補正方法】変更
【補正の内容】
【０００８】
また、本発明に関連する発明の一態様は、上述したレイヤ２接続装置であって、前記バルクポートが前記第二レイヤ２スイッチから受信したパケットが、前記第一装置の物理アドレスを問い合わせる物理アドレス要求パケットである場合、代理応答に使用する前記バルクポートを決定し、決定した当該バルクポートの物理アドレスを通知する物理アドレス応答パケットを、決定した当該バルクポートから送信させる第二ネットワーク発側物理アドレス解決部をさらに備える、ことを特徴とする。
【手続補正７】
【補正対象書類名】明細書
【補正対象項目名】０００９
【補正方法】変更
【補正の内容】
【０００９】
また、本発明に関連する発明の一態様は、上述したレイヤ２接続装置であって、前記第二ネットワーク発側物理アドレス解決部は、前記物理アドレス要求パケットに設定されている前記第一装置の上位層アドレス及び前記第二装置の上位層アドレスの組に基づいて代理応答に使用する前記バルクポートを決定する、ことを特徴とする。
【手続補正８】
【補正対象書類名】明細書
【補正対象項目名】００１０
【補正方法】変更
【補正の内容】
【００１０】
また、本発明に関連する発明の一態様は、上述したレイヤ２接続装置であって、前記個別ポートが前記第一レイヤ２スイッチから受信したパケットが、前記第二装置の物理アドレスを問い合わせる物理アドレス要求パケット、または、前記第一装置の物理アドレスを通知する物理アドレス応答パケットである場合、当該パケットに設定されている前記第一装置の上位層アドレス及び前記第二装置の上位層アドレスの組に基づいて使用する前記バルクポートを決定し、当該パケットに設定されている前記第一装置の物理アドレスを決定した当該バルクポートの物理アドレスに書き換え、決定した当該バルクポートから送信させる第一ネットワーク発側物理アドレス解決部をさらに備える、ことを特徴とする。
【手続補正９】
【補正対象書類名】明細書
【補正対象項目名】００１１
【補正方法】変更
【補正の内容】
【００１１】
また、本発明に関連する発明の一態様は、上述したレイヤ２接続装置であって、前記第一装置の上位層アドレス及び物理アドレスの対応付けを示すアドレステーブルを記憶する記憶部をさらに備え、前記第一ネットワーク発側物理アドレス解決部は、前記第一レイヤ２スイッチから受信した前記物理アドレス要求パケットまたは前記物理アドレス応答パケットに設定されている前記第一装置の上位層アドレス及び物理アドレスを前記アドレステーブルに登録し、前記パケット転送部は、前記第二レイヤ２スイッチから受信したパケットに宛先として設定されている前記バルクポートの物理アドレスを、当該パケットに宛先として設定されている前記第一装置の上位層アドレスに基づいて前記アドレステーブルから読み出した前記第一装置の物理アドレスに書き換え、前記個別ポートから送信させる、ことを特徴とする。
【手続補正１０】
【補正対象書類名】明細書
【補正対象項目名】００１２
【補正方法】変更
【補正の内容】
【００１２】
また、本発明に関連する発明の一態様は、上述したレイヤ２接続装置であって、前記個別ポートが前記第一レイヤ２スイッチから受信したパケットが所定の上位層プロトコル以外のパケットである場合、当該パケットに送信元として設定されている前記第一装置の物理アドレスに基づいて当該パケットの送信に使用する前記バルクポートを決定し、決定した当該バルクポートから当該パケットを送信させる第一ネットワーク発側パケット処理部と、前記バルクポートが前記第二レイヤ２スイッチから受信したパケットが所定の上位層プロトコル以外のパケットである場合、当該パケットに宛先として設定されている前記第一装置の物理アドレスに基づいて当該パケットを受信する前記バルクポートを決定し、当該パケットを受信した前記バルクポートが、決定した当該バルクポートである場合、前記個別ポートから送信させる第二ネットワーク発側パケット処理部とをさらに備える、ことを特徴とする。
【手続補正１１】
【補正対象書類名】明細書
【補正対象項目名】００１３
【補正方法】変更
【補正の内容】
【００１３】
また、本発明に関連する発明の一態様は、上述したレイヤ２接続装置であって、前記第一レイヤ２スイッチから受信した前記パケットに送信元として設定されている前記第一装置の物理アドレスを登録した学習テーブルを記憶する学習テーブル記憶部と、前記第二レイヤ２スイッチから受信した前記パケットに送信元として設定されている物理アドレスが、いずれかの前記バルクポートの物理アドレス、あるいは、前記学習テーブルに登録されている前記第一装置の物理アドレスである場合、当該パケットを破棄する第二ネットワーク発側パケット識別部とをさらに備える、ことを特徴とする。
【手続補正１２】
【補正対象書類名】明細書
【補正対象項目名】００１４
【補正方法】変更
【補正の内容】
【００１４】
また、本発明に関連する発明の一態様は、上述したレイヤ２接続装置であって、前記トラフィック分散部は、前記第一レイヤ２スイッチから受信した前記パケットに設定されている宛先の第二装置の物理アドレス、送信元の第一装置の物理アドレス、宛先の第二装置の上位層アドレス、送信元の第一装置の上位層アドレス、上位層のプロトコル、宛先ポート、送信元ポートのうち１以上に基づいて、当該パケットの送信に使用する前記バルクポートを決定する、ことを特徴とする。
【手続補正１３】
【補正対象書類名】明細書
【補正対象項目名】００１６
【補正方法】変更
【補正の内容】
【００１６】
また、本発明に関連する発明の一態様は、上述したレイヤ２接続装置であって、前記バルクポートのトラフィックを監視するトラフィック監視部をさらに備え、前記トラフィック分散部は、前記第一レイヤ２スイッチから受信した前記パケットに設定されている宛先の第二装置の物理アドレス、送信元の第一装置の物理アドレス、宛先の第二装置の上位層アドレス、送信元の第一装置の上位層アドレス、上位層のプロトコル、宛先ポート、送信元ポートのうち１以上と、前記トラフィック監視部が監視した前記トラフィックとに基づいて、当該パケットの送信に使用する前記バルクポートを決定する、ことを特徴とする。
【手続補正１４】
【補正対象書類名】明細書
【補正対象項目名】００２０
【補正方法】変更
【補正の内容】
【００２０】
また、本発明に関連する発明の一態様は、上述したレイヤ２接続装置であって、前記バルクポートには、複数の物理アドレスが割り付けられており、前記トラフィック分散部は、前記第一レイヤ２スイッチから受信した前記パケットを送信に使用する前記バルクポート及び当該バルクポートの物理アドレスを決定する、ことを特徴とする。
【手続補正１５】
【補正対象書類名】明細書
【補正対象項目名】００２２
【補正方法】変更
【補正の内容】
【００２２】
また、本発明に関連する発明の一態様は、上述したレイヤ２接続装置であって、前記バルクポートには、複数の物理アドレスが割り付けられており、前記第一装置の物理アドレスと、パケットの送信に使用する前記バルクポートの物理アドレスとの対応付けを記憶する記憶部をさらに備え、前記トラフィック分散部は、前記第一レイヤ２スイッチから受信した前記パケットに送信元として設定されている前記第一装置の物理アドレスに基づいて使用する前記バルクポートの物理アドレスを前記記憶部から読み出し、前記送信元物理アドレス書き換え部は、前記第一レイヤ２スイッチから受信した前記パケットに送信元として設定されている前記第一装置の物理アドレスを、前記トラフィック分散部が読み出した前記バルクポートの物理アドレスに書き換え、当該物理アドレスの前記バルクポートから送信させ、前記パケット転送部は、前記第二レイヤ２スイッチから受信した前記パケットに宛先として設定されている前記バルクポートの物理アドレスを、当該バルクポートの物理アドレスに基づいて前記記憶部から読み出した前記第一装置の物理アドレスに書き換え、前記個別ポートから送信させる、ことを特徴とする。
【手続補正１６】
【補正対象書類名】明細書
【補正対象項目名】００２３
【補正方法】変更
【補正の内容】
【００２３】
また、本発明に関連する発明の一態様は、上述したレイヤ２接続装置であって、パケットの送信に使用する前記バルクポートをチャネルに基づいて決定するチャネルポート決定部をさらに備え、前記トラフィック分散部は、前記第一レイヤ２スイッチから受信した前記パケットに設定されている宛先の第二装置の物理アドレス、送信元の第一装置の物理アドレス、宛先の第二装置の上位層アドレス、送信元の第一装置の上位層アドレス、プロトコル、宛先ポート、送信元ポートのうち１以上に基づいて当該パケットのチャネルを決定し、前記送信元物理アドレス書き換え部は、前記第一レイヤ２スイッチから受信した前記パケットに送信元として設定されている前記第一装置の物理アドレスを、前記トラフィック分散部が決定したチャネルに基づいて前記チャネルポート決定部が決定した前記バルクポートの物理アドレスに書き換え、決定された当該バルクポートから送信させる、ことを特徴とする。
【手続補正１７】
【補正対象書類名】明細書
【補正対象項目名】００２６
【補正方法】変更
【補正の内容】
【００２６】
また、本発明に関連する発明の一態様は、上述したレイヤ２接続装置であって、前記第一装置の上位層アドレスと前記第二装置の上位層アドレスの組によって決定される前記チャネルについて使用する前記バルクポートが変更された場合、前記組に含まれる前記第一装置の上位層アドレスと、変更後の前記バルクポートの物理アドレスとの対応付けを通知するパケットを、変更後の前記バルクポートから送信させる通知部をさらに備える、ことを特徴とする。
【手続補正１８】
【補正対象書類名】明細書
【補正対象項目名】００２７
【補正方法】変更
【補正の内容】
【００２７】
また、本発明に関連する発明の一態様は、上述したレイヤ２接続装置であって、前記バルクポートには、複数の物理アドレスが割り付けられており、前記チャネルポート決定部は、前記第一レイヤ２スイッチから受信した前記パケットの送信に使用する前記バルクポート及び当該バルクポートの物理アドレスを前記チャネルに基づいて決定する、ことを特徴とする。
【手続補正１９】
【補正対象書類名】明細書
【補正対象項目名】００２９
【補正方法】変更
【補正の内容】
【００２９】
また、本発明に関連する発明の一態様は、第一装置が接続される第一ネットワークの第一レイヤ２スイッチと、第二装置が接続される第二ネットワークの第二レイヤ２スイッチと、前記第一レイヤ２スイッチ及び前記第二レイヤ２スイッチに接続されるレイヤ２接続装置とからなる通信システムであって、前記第一レイヤ２スイッチは、前記第一装置から受信したパケットを前記レイヤ２接続装置に送信するとともに、前記レイヤ２接続装置から受信したパケットを前記第一装置に送信する第一送受信部を備え、前記第二レイヤ２スイッチは、前記第二装置から受信したパケットを前記レイヤ２接続装置に送信するとともに、前記レイヤ２接続装置から受信したパケットを前記第二装置に送信する第二送受信部を備え、前記レイヤ２接続装置は、前記第一レイヤ２スイッチとパケットを送受信する個別ポートと、前記第二レイヤ２スイッチとパケットを送受信する複数のバルクポートと、前記個別ポートが前記第一レイヤ２スイッチから受信したパケットの送信に使用する前記バルクポートを決定するトラフィック分散部と、前記第一レイヤ２スイッチから受信した前記パケットに送信元として設定されている前記第一装置の物理アドレスを、前記トラフィック分散部により決定された前記バルクポートの物理アドレスに書き換え、決定された当該バルクポートから送信させる送信元物理アドレス書き換え部と、前記バルクポートが前記第二レイヤ２スイッチから受信したパケットに宛先として設定されている当該バルクポートの物理アドレスを、当該パケットに宛先として設定されている前記第一装置の上位層アドレスに対応した物理アドレスに書き換え、前記個別ポートから送信させるパケット転送部とを備える、ことを特徴とする通信システムである。
【手続補正２０】
【補正対象書類名】明細書
【補正対象項目名】００３０
【補正方法】変更
【補正の内容】
【００３０】
また、本発明に関連する発明の一態様は、上述した通信システムであって、前記バルクポートには、複数の物理アドレスが割り付けられており、前記レイヤ２接続装置は、前記第一装置の物理アドレスと、パケットの送信に使用する前記バルクポートの物理アドレスとの対応付けを記憶する記憶部をさらに備え、前記トラフィック分散部は、前記第一レイヤ２スイッチから受信した前記パケットに送信元として設定されている前記第一装置の物理アドレスに基づいて使用する前記バルクポートの物理アドレスを前記記憶部から読み出し、前記送信元物理アドレス書き換え部は、前記第一レイヤ２スイッチから受信した前記パケットに送信元として設定されている前記第一装置の物理アドレスを、前記トラフィック分散部が読み出した前記バルクポートの物理アドレスに書き換え、当該物理アドレスの前記バルクポートから送信させ、前記パケット転送部は、前記第二レイヤ２スイッチから受信した前記パケットに宛先として設定されている前記バルクポートの物理アドレスを、当該バルクポートの物理アドレスに基づいて前記記憶部から読み出した前記第一装置の物理アドレスに書き換え、前記個別ポートから送信させる、ことを特徴とする。
【手続補正２１】
【補正対象書類名】明細書
【補正対象項目名】００３１
【補正方法】変更
【補正の内容】
【００３１】
また、本発明に関連する発明の一態様は、第一装置が接続される第一ネットワークの第一レイヤ２スイッチと、第二装置が接続される第二ネットワークの第二レイヤ２スイッチと、前記第一レイヤ２スイッチ及び前記第二レイヤ２スイッチに接続されるレイヤ２接続装置とからなる通信システムにおける通信方法であって、前記レイヤ２接続装置は、前記第一レイヤ２スイッチと接続される個別ポートと、前記第二レイヤ２スイッチと接続される複数のバルクポートとを備えており、前記第一レイヤ２スイッチが、前記第一装置から受信したパケットを前記レイヤ２接続装置に送信する第一中継過程と、前記レイヤ２接続装置のトラフィック分散部が、前記個別ポートが前記第一レイヤ２スイッチから受信した前記パケットの送信に使用する前記バルクポートを決定するトラフィック分散過程と、前記レイヤ２接続装置の送信元物理アドレス書き換え部が、前記第一レイヤ２スイッチから受信した前記パケットに送信元として設定されている前記第一装置の物理アドレスを、前記トラフィック分散部により決定された前記バルクポートの物理アドレスに書き換え、決定された当該バルクポートから送信させる送信元物理アドレス書き換え過程と、前記第二レイヤ２スイッチが、前記レイヤ２接続装置の前記バルクポートから受信した前記パケットを前記第二装置へ送信する第二中継過程とを有する一方、前記第二レイヤ２スイッチが、前記第二装置から受信したパケットを前記レイヤ２接続装置に送信する第三中継過程と、前記レイヤ２接続装置のパケット転送部が、前記バルクポートが前記第二レイヤ２スイッチから受信した前記パケットに宛先として設定されている当該バルクポートの物理アドレスを、当該パケットに宛先として設定されている前記第一装置の上位層アドレスに対応した物理アドレスに書き換え、前記個別ポートから送信させるパケット転送過程と、前記第一レイヤ２スイッチが、前記レイヤ２接続装置の前記個別ポートから受信した前記パケットを前記第一装置へ送信する第四中継過程とを有する、ことを特徴とする通信方法である。
【手続補正２２】
【補正対象書類名】明細書
【補正対象項目名】００３２
【補正方法】変更
【補正の内容】
【００３２】
また、本発明に関連する発明の一態様は、上述した通信方法であって、前記バルクポートには、複数の物理アドレスが割り付けられ、前記レイヤ２接続装置は、前記第一装置の物理アドレスと、パケットの送信に使用する前記バルクポートの物理アドレスとの対応付けを記憶する記憶部をさらに備えており、前記トラフィック分散過程においては、前記第一レイヤ２スイッチから受信した前記パケットに送信元として設定されている前記第一装置の物理アドレスに基づいて使用する前記バルクポートの物理アドレスを前記記憶部から読み出し、前記送信元物理アドレス書き換え過程においては、前記第一レイヤ２スイッチから受信した前記パケットに送信元として設定されている前記第一装置の物理アドレスを、前記トラフィック分散過程において読み出された前記バルクポートの物理アドレスに書き換え、当該物理アドレスの前記バルクポートから送信させ、前記パケット転送過程においては、前記第二レイヤ２スイッチから受信した前記パケットに宛先として設定されている前記バルクポートの物理アドレスを、当該バルクポートの物理アドレスに基づいて前記記憶部から読み出した前記第一装置の物理アドレスに書き換え、前記個別ポートから送信させる、ことを特徴とする。